(57)【要約】【課題】薄型で設置スペースが少なくても設置可能な貯湯式温水器を提供する。【解決手段】水を保温する貯湯タンクと、前記貯湯タンク内の水を加熱する温水ヒータと、前記貯湯タンクへ給水する給水管と、前記給水管より前記貯湯タンクへの通水制御する給水開閉機構と、前記貯湯タンク内のお湯を出湯させる出湯管とを備えた貯湯式温水器において、前記貯湯タンクは略直方体構造であり長辺方向の中心部付近で前記貯湯タンクの外殻は前記長手方向とは略垂直な断面部で２つに分割されるとともに、前記貯湯タンクは前記断面部に補強部材を設け、前記補強部材を介して連結していることを特徴とする。【選択図】  図１
2004324972.tif 000002
【特許請求の範囲】
【請求項１】
水を保温する貯湯タンクと、前記貯湯タンク内の水を加熱する温水ヒータと、前記貯湯タンクへ給水する給水管と、前記給水管より前記貯湯タンクへの通水制御する給水開閉機構と、前記貯湯タンク内のお湯を出湯させる出湯管とを備えた貯湯式温水器において、前記貯湯タンクは略直方体構造であり長辺方向の中心部付近で前記貯湯タンクの外殻は前記長手方向とは略垂直な断面部で２つに分割されるとともに、前記貯湯タンクは前記断面部に補強部材を設け、前記補強部材を介して連結していることを特徴とする貯湯式温水器。
【請求項２】
請求項１に記載の貯湯式温水器において、前記補強部材は長方形形状であり短手方向に対辺同士が中心部周辺で一部が連接してあることを特徴とする貯湯式温水器。
【請求項３】
請求項１に記載の貯湯式温水器において、前記貯湯タンクの外殻は２つの箱体部と、前記略直方体構造の断面部に渡った補強部材とはスポット溶接にて取付けられていることを特徴とする貯湯式温水器。
【発明の詳細な説明】
【０００１】
【発明の属する技術分野】
本発明は、洗面所などに設置される小型の貯湯式温水器に係り、特にタンク手前で給水を開閉する元止め式貯湯式温水器に関するものである。
【０００２】
【従来の技術】
従来のこの種の貯湯式温水器としては、図８のようなものであった。（例えば特許文献１参照）
【０００３】
【特許文献１】
実開昭５７−９０９５７号公報（第１−２頁、第１−２図）
【０００４】
図８は従来の電気温水器用貯湯タンクを示す断面図であり、図９はその補強リングの平面図である。図において、１は円筒胴体で、上下開口部には鏡板上２、鏡板下３を溶接固定して貯湯タンクを構成している。８は一枚の板体をくり抜いてリング状に形成された金属製の補強リングで、円筒胴体１の長さ方向に均等の間隔（Ｌ）で配置されかつ円筒胴体１の内周面に溶接固定されている。
【０００５】
上記のような密閉状態の円筒胴体１では、円筒胴体１内部に正圧がかかる場合は円筒胴体１に内部から外部に向け、均一に圧力がかかるため、補強リング８がなくても強度は強いが、大きな負圧が加わわると内部に向けて変形が起こる。そのために、円筒胴体１の内周面に予め固定しておいた複数本の補強リング８で円筒胴体１の耐負圧強度を大きくし変形を防止している。
【０００６】
【発明が解決しようとする課題】
上記のような従来の電気温水器の貯湯タンクでは、円筒胴体であるため貯湯式温水器の中に収めた際にコーナー部分などがデットスペースになってしまい、どうしても省スペース化が難しい。そのため、貯湯式温水器を薄型にしたり、省スペースのものを提供することが難しく、本来、給湯配管ができない場所や、給湯設備から離れた場所などにお湯を供給することができる局所給湯用の小型温水器であるが、設置場所がないことや、設置した際に邪魔になるなどの問題で貯湯式温水器が設置できずに、お湯を使えないといった問題があった。
【０００７】
ここで、貯湯タンクは略直方体構造にすればコーナのデッドスペースはなくすことが可能になる。しかし、従来技術に示したように、大きな圧力がかかるような中型電気温水器（１００Ｌ以上）ではタンクが大きく、かつ、タンクよりも先に給水開閉機構をもうける先止め式であり、かつ、２階などに温水器本体を設置され１階でお湯を使用する場合などはタンク内部が負圧になってしまうことがあるため、略直方体構造にすれば、補強リングを設けても貯湯タンクの変形を防ぐことが難しくなる。しかしながら、元止め式の小型電気温水器の場合、給水開閉機構の二次側の静圧のみ考えればいいので、略直方体構造の貯湯タンク構造をとることが可能になる。
【０００８】
しかし、略直方体構造のままでは、貯湯タンクの板厚を従来より大きくとらないさすがにもたない。
また、従来技術のように補強リング８が一枚の板体をくり抜いてリング状に形成されているため、円筒胴体１と補強リング８との間に隙間なく補強リング８を取り付けることは困難であって十分な耐負圧強度が得られない恐れがあり、また円筒胴体１の内周にリング状の補強リング８を形成することは加工において非常に手間がかかる上に、コストもかかる。
【０００９】
この発明は、上述のような課題を解決するためになされたもので、デッドスペースを作ることなく貯湯式温水器を薄型にできる上、耐圧性能を向上した貯湯式温水器の貯湯タンクを得ることを目的としている。
【００１０】
【課題を解決するための手段及びその作用・効果】
上記目的を達成するために請求項１は、水を保温する貯湯タンクと、前記貯湯タンク内の水を加熱する温水ヒータと、前記貯湯タンクへ給水する給水管と、前記給水管より前記貯湯タンクへの通水制御する給水開閉機構と、前記貯湯タンク内のお湯を出湯させる出湯管とを備えた貯湯式温水器において、前記貯湯タンクは略直方体構造であり長辺方向の中心部付近で前記貯湯タンクの外殻は前記長手方向とは略垂直な断面部で２つに分割されるとともに、前記貯湯タンクは前記断面部に補強部材を設け、前記補強部材を介して連結した。
【００１１】
上記発明によれば、タンク手前で通水制御するため、給水開閉機構の二次側の静圧のみ考えればよく、タンク内に大きな圧力は加わらない。そのためタンクはある程度の耐圧強度を確保しておけばよいため、タンクを略直方体構造にできる。そのためタンクのスペースを取らず、薄型で省スペースの貯湯式温水器を提供できる。また、タンクの板厚を上げて補強することに対し、重量が軽くできる上に、材料の使用する量を削減できコストも安い。また、補強部材はタンクの上部と下部を溶接する際に同時に溶接するため、加工の工程が削減できる上、強度も向上する。それにより貯湯式温水器を薄型化することができ、設置スペースも小さくでき、使用者が快適にお湯を使うことができる。
【００１２】
請求項２では、請求項１に記載の貯湯式温水器のタンク構造において、前記補強部材は長方形形状であり短手方向に対辺同士が中心部周辺で一部が連接してあることとした。
【００１３】
上記発明によれば、補強部材の中心部周辺で一部が連接した構造のため、内部がくりぬかれており、タンク内部に補強部材を入れたことによりタンク内の流路が変わって出湯性能が悪化してしまうことや沸き上げ時のタンク内の温度分布に影響が出ることがない。また、中心部周辺で一部が連接してあるため、強度を確保することができる。
【００１４】
請求項３では、請求項１に記載の貯湯式温水器において、前記貯湯タンクの外殻は２つの箱体部と、前記略直方体構造の断面部に渡った補強部材とはスポット溶接にて取付けた。
【００１５】
上記発明によれば、補強部材は内部にスポット溶接にて取付けるため、補強が容易で、いくつでも追加することができるため、必要な強度にあわせて調整できる。
【００１６】
【発明の実施の形態】
以下、本発明の実施の形態を、図面により詳細に説明する。図１はこの発明の実施形態１を示す貯湯タンクの正面断面図であり、図２はその側面断面図、図３は補強板の平面図である。図において、１０は例えばステンレスからなる板材を略直方体構造に加工したタンクである。タンク１０は２つの容器であるタンク上部１１とタンク下部１２を上下に重ね合わせ、周方向に溶接して構成されている。本実施例では、前記タンク１０内部には溶接面に対して平行になるように、ステンレスからなる補強板１３を有し、前記補強板１３をタンク上部１１とタンク下部１２を溶接する際に同時に溶接した。
【００１７】
これによると、タンク１０は略直方体構造に加工することで、従来の円筒型タンクよりもコーナー部分が小さく、貯湯式温水器に収納する際に、デッドスペースが少ない。また、タンク１０は略直方体構造であるため、円筒型に比べて強度が劣る。そのため、本実施例ではタンク１０の手前で通水を開閉する元止め式の貯湯式温水器とし、タンク１０の高さを３００ｍｍ程度にし、横幅を１６０ｍｍ程度、奥行きを１００ｍｍ程度にした。これにより、タンク１０の平面部分の面積が小さくなり、タンク１０にかかる圧力を小さくでき、タンク１０の正圧の強度が確保できる。また、元止め式である上、洗面器下に設置されるケースが多いのでタンク１０に大きな負圧がかかることはなく、貯湯式温水器を薄型化することが可能である。また、補強板１３をタンク上部１１とタンク下部１２を溶接する際に同時に溶接するため、追加で補強板１３を溶接する加工の手間が省けるうえ、溶接部分が一体となるため、溶接部分の強度を確保することができる。
【００１８】
これにより、本発明での貯湯式温水器の施工例１として、図４に示すように、例えば貯湯式温水器１７を壁掛式にすることが可能となる。従来のような床置き式の貯湯式温水器があると、車いすのアプローチの際に足や車いすが貯湯式温水器１７にあたって手洗い時に非常に大変であった。そのために、貯湯式温水器１７そのものを設置しない場合もあった。しかし、本発明によると、貯湯式温水器１７が壁に取り付いているため、車いすで近づいても邪魔になることがない。また、貯湯式温水器が床にあるために掃除がしづらかったところにも設置が可能となる。そのため、これまで水しか出ないために使い勝手の悪かった手洗いが、お湯が出るようになるために非常に使いやすく、汚れ物を洗ったり、体を拭いたり、髪の毛を洗ったりといった、いろいろな目的での使用が可能になる。
【００１９】
また、本発明での貯湯式温水器の施工例２として図５に示すように洗面器下の狭い隙間に横向きに取付けることができる。これにより、従来の貯湯式温水器１７では大きすぎて置けなかった場所でも、本発明の貯湯式温水器であれば、設置することが可能になる。そのため、これまで水しか出ないために使い勝手の悪かった手洗いが、お湯が出るようになるために非常に使いやすく、汚れ物を洗ったり、体を拭いたり、髪の毛を洗ったりといった、いろいろな目的での使用が可能になる。
【００２０】
また、補強板１３を内部に溶接したことにより、タンク１０のもっとも強度の弱い平面部分が補強できるため、タンク１０内に正圧が加わっても平面部の広がりを防止できる。
【００２１】
次に、本発明の実施形態２として、図３に示すように、上記補強板１３の形状を長方形形状であり短手方向に対辺同士が中心部周辺で一部が連接してある形状にした。タンク１０内部に補強板１３を入れたことによりタンク内の流路が変わって出湯性能が悪化してしまうことや、沸き上げ時のタンク内の温度分布に影響が出ることが考えられるが、前記補強板１３は長方形形状であり短手方向に対辺同士が中心部周辺で一部が連接してある構造で内部が繰り抜いてあるため、流路を妨げることがなく、出湯性能が悪化してしまったり、沸き上げ時の温度分布に影響を与えることがない。また、本実施例では、補強板１３の中心部に約２０ｍｍ程度の板を残した。これにより、タンク１０内に正圧が加わっても、補強板１３の２０ｍｍのステンレンス板の引っ張り強度が十分強いため、外側に変形することを防止できる。
【００２２】
次に、本発明の実施形態３として、前記タンク１０内部には溶接面に対して平行になるように、ステンレスからなる補強板１３を有し、タンク１０内部に略直方体構造の断面部に渡った図７に示すような補強板１３をスポット溶接にて取付けられているものとした。
【００２３】
この構成においては、タンク１０は補強板１３により、補強されているため、正圧が加わってもステンレス板の引っ張り強度が十分に強くなるように設定するため、タンク１０が変形することがない。本実施例では、補強板１３の引っ張り強度を確保するために板圧を０．８ｍｍ以上とし、板の幅は約２０ｍｍ程度とし、ステンレス材料の引っ張り強度が十分発揮できるような形状とした。また、補強板１３は内部にスポット溶接にて取付けるため、タンク１０がより強度が必要な場合は、補強板１３の数量を増やしたり、板圧を厚くしたり、板の幅を大きくしたりして、補強が容易である。
【図面の簡単な説明】
【図１】本発明に係る貯湯式温水器のタンクの正面断面図図。
【図２】本発明に係る貯湯式温水器のタンクの側面断面図図。
【図３】本発明における薄型タンクの補強板の形状図。
【図４】本発明による貯湯式温水器の壁掛施工図。
【図５】本発明による貯湯式温水器の横置き施工図。
【図６】本発明による実施例２の貯湯式温水器タンクの正面断面図。
【図７】本発明による実施例２のタンク補強板の斜視図。
【図８】従来の貯湯式温水器タンクの断面図。
【図９】従来の貯湯式温水器の補強リング正面図。
【符号の説明】
１…円筒胴体
２…鏡板上
３…鏡板下
８…補強リング
１０…タンク
１１…タンク上部
１２…タンク下部
１３…補強板
１７…貯湯式温水器
１８…障害物
【図１】
2004324972.tif 000003
【図２】
2004324972.tif 000004
【図３】
2004324972.tif 000005
【図４】
2004324972.tif 000006
【図５】
2004324972.tif 000007
【図６】
2004324972.tif 000008
【図７】
2004324972.tif 000009
【図８】
2004324972.tif 000010
【図９】
2004324972.tif 000011